(57)【要約】【課題】開蓋すると直ちに容器に給水でき、さらに揚水パイプ、注水パイプを清掃できるようにする。【解決手段】パイプユニット12は、肩部材６の上面７に載置して口部３を閉塞し該肩部材６と蓋体９の間に着脱自在に設けられる中蓋33と、中蓋33に上下方向を連通して口部３に連通する給水口28と、中蓋33と一体に設けられた中継孔40と、上部を中継孔40の１次側開口部41に着脱自在に連通した前記揚水パイプ10と、基端60を中継孔40の２次側開口部42に着脱自在に連通した注水パイプ11とを備える。水の流路がすべて着脱分解可能となり、洗浄作業性が良く衛生的である。また給水口28より給水を簡単に行うことができる。【選択図】図１
2010022489.tif 000002
【特許請求の範囲】
【請求項１】
容器本体と、前記容器本体の口部に装着した肩部材と、該肩部材上に設けられ前記口部を開閉自在に塞ぐ蓋体と、前記容器本体の内外に連通し、前記容器本体内の液体を排出する揚水パイプ及びその上部に連通する注水パイプを備えたパイプユニットとを備えたポットにおいて、
前記パイプユニットは、前記肩部材の上面に載置して前記口部を閉塞し該肩部材と前記蓋体の間に着脱自在に設けられる中蓋と、前記中蓋に上下方向を連通して前記口部に連通する給水口と、前記中蓋と一体に設けられた中継孔と、上部を前記中継孔の１次側開口部に着脱自在に連通した前記揚水パイプと、基端を前記中継孔の２次側開口部に着脱自在に連通した前記注水パイプとを備えたことを特徴とするポット。
【請求項２】
前記蓋体に前記容器本体内に圧縮空気を送風する手動ポンプを設けたことを特徴とする請求項１記載のポット。
【請求項３】
前記給水口は筒状であって、その外周は前記口部に嵌合することを特徴とする請求項１または２記載のポット。
【請求項４】
前記給水口の第１の内径を、前記口部の第２の内径よりやや小さく形成したことを特徴とする請求項１〜３のいずれか１項に記載のポット。
【発明の詳細な説明】
【技術分野】
【０００１】
本発明は、容器本体に収容した水等液体を吐出するポットに関するものである。
【背景技術】
【０００２】
従来、この種のものは空気圧を利用して容器本体に収容した液体を上方へ汲み上げる揚水パイプ、この汲み上げられた液体を下向きの注ぎ口から注出させるための注水パイプを備えている。例えば容器本体の開口に中栓を着脱自在に設けられ、この中栓に注水パイプの他に揚水パイプを着脱自在に接続するもの（例えば特許文献１）や、容器本体と一体的に注水パイプを設けると共に、揚水パイプを着脱自在に設けるもの（例えば特許文献２）、さらに容器本体の開口に揚水パイプと注水パイプを一体化してユニットとしたパイプユニット式といわれるもの（例えば特許文献３）などが知られている。
【特許文献１】特許第３６７８０１０号公報
【特許文献２】実開平５−８０４３５号公報
【特許文献３】実開昭６２−９００４４号公報
【発明の開示】
【発明が解決しようとする課題】
【０００３】
特許文献１のような中栓を備えたものにおいては、揚水パイプを取り外して該パイプを清掃することができるというものであるが、容器に給水するときは容器本体の開口から中栓を取り外してその開口を通して給水しなければならず、また注水パイプを取り外して清掃することはできない。また、特許文献２のようなエアーポットにおいては、中栓がないので、開蓋すると直ちに容器本体の開口から容器に給水できるものの、注水パイプを取り外して清掃することはできない。さらに、特許文献３でも中栓がないので、開蓋すると直ちに容器本体の開口から容器に給水できるものの、揚水パイプや注水パイプを取り外して清掃することはできない。
【０００４】
解決しようとする問題点は、揚水パイプ、注水パイプを備えたポットにおいて、開蓋すると直ちに容器本体の開口から容器に給水でき、さらに揚水パイプ、注水パイプを取り外して清掃を行うことができるようにする点である。
【課題を解決するための手段】
【０００５】
請求項１の発明は、容器本体と、前記容器本体の口部に装着した肩部材と、該肩部材上に設けられ前記口部を開閉自在に塞ぐ蓋体と、前記容器本体の内外に連通し、前記容器本体内の液体を排出する揚水パイプ及びその上部に連通する注水パイプを備えたパイプユニットとを備えたポットにおいて、
前記パイプユニットは、前記肩部材の上面に載置して前記口部を閉塞し該肩部材と前記蓋体の間に着脱自在に設けられる中蓋と、前記中蓋に上下方向を連通して前記口部に連通する給水口と、前記中蓋と一体に設けられた中継孔と、上部を前記中継孔の１次側開口部に着脱自在に連通した前記揚水パイプと、基端を前記中継孔の２次側開口部に着脱自在に連通した前記注水パイプとを備えたことを特徴とするポットである。
【０００６】
請求項２の発明は、前記蓋体に前記容器本体内に圧縮空気を送風する手動ポンプを設けたことを特徴とする請求項１記載のポットである。
【０００７】
請求項３の発明は、前記給水口は筒状であって、その外周は前記口部に嵌合することを特徴とする請求項１または２記載のポットである。
【０００８】
請求項４の発明は、前記給水口の第１の内径を、前記口部の第２の内径よりやや小さく形成したことを特徴とする請求項１〜３のいずれか１項に記載のポットである。
【発明の効果】
【０００９】
請求項１の発明によれば、水の流路がすべて着脱分解可能となり、洗浄作業性が良く衛生的であり、また容器本体への給水も容易に行うことができる。
【００１０】
請求項２の発明によれば、エアーポットにおける揚水パイプ、注水パイプをそれぞれ掃除し易くして衛生的に保つことができる。
【００１１】
請求項３の発明によれば、パイプユニットの位置決めをすることができる
請求項４の発明によれば、口部に直接給水するように給水作業を行うことができる。
【発明を実施するための最良の形態】
【００１２】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１３】
以下、本発明の一実施例について図に基づき説明する。ポットとしてのエアーポット１は、水等液体を収容する有底な内筒２及びこの内筒２の外側に口部３相互を接続した外装を兼ねた有底な外筒４とを備えた容器本体５と、外筒４の外周上端側と容器本体５の口部３の間を覆うように結合した水切り部材等とも称する略水平で略円板状の肩部材６と、肩部材６の上面７に手動式空気ポンプであるベローズポンプ８内蔵の開閉自在に装着する蓋体９と、内筒２内の液体を排出させるための揚水パイプ10及びその上部に連通する注水パイプ11を備えたパイプユニット12と、肩部材６に両端を回動自在に連結したＵ字形状の取手13から構成されている。
【００１４】
容器本体５はステンレス鋼等金属性材料による内筒２と外筒４間を真空部14とした真空二重構造である。肩部材６は、中央に口部３上に接続し口部３とほぼ同径な開口孔部15を有する受け皿部16と、この受け皿部16の前方に突出した嘴部17と、受け皿部16の外周から下方に延設して外筒４の外周上端側に接続する取付用円筒部18からなっている。嘴部17は先端に注水パイプ11を挿通する口孔19を設けており、また嘴部17には蓋体９のロック操作部20に連動するロック爪21が係止するロック爪用係止片22を設けている。
【００１５】
ベローズポンプ８を内蔵した蓋体９は、従来技術に記載したものとほぼ同じ構成、作用を有するもので、蓋体９は、ヒンジ部材23にて揺動自在に枢支され、ロック爪21にて肩部材６に開閉自在に固定可能に設けられており、ベローズポンプ８と、このベローズポンプ８を押上げている第１スプリング（図示せず）と、ベローズポンプ８の上部開口を開閉するプッシュ弁24と、このプッシュ弁24を押圧し、ベローズポンプ８内の空気を容器本体５内に圧送する押圧操作機構25とを内蔵し、下面を下板26にて覆い、下板26の中央開口に口部３、開口孔部15に対向するようにして圧縮空気を内筒２内へ圧送できるようになっている。尚、蓋体９の下板26にはベローズポンプ８の排気孔27を囲むように形成されると共に、口部３、開口孔部15さらには後述する給水口28に挿入可能な平面Ｕ字形状の凸部29が設けられている。また、この凸部29の上端に平面が円環状の第１のシール部材30が装着されており、閉蓋時に第１のシール部材30は後述する第２の小突起31に係止するようになっている。
【００１６】
さらに、前記パイプユニット12は、肩部材６の上面７に載置し、該上面７と蓋体９の間に着脱自在に設けられる平面が略円形で外縁32が上面７の縁にほぼ至る一枚の板状をなした中蓋33を一体的に備えるもので、この中蓋33の中央に上下方向を連通して開口に連通する平面が円形の給水口28を形成している。この給水口28の縦断面は、漏斗状傾斜面を有するように逆裁頭円錐形の円筒部34をなしており、その下端に短い短円筒部35が下方に向けて連設されていると共に、この短円筒部35の外周に設けた第２のシール部材36が口部３に気密に接することができるようになっている。さらに、給水口28の第１の内径Ｃを、口部３の第２の内径Ｄとほぼ同じ大きさに形成している。すなわち、口部３の第２の内径Ｄと開口孔部15は同一内径であり、そして給水口28はこの内径Ｄより著しく小さくならないように第１の内径Ｃを第２の内径Ｄとほぼ同一径にしている。具体的には最小箇所の第１の内径Ｃは、最小箇所の第２の内径Ｄより０．８５倍より大きいことが好ましい（Ｄ＞Ｃ＞０．８５Ｄ）。この差は１０ｍｍ以下に形成することが好ましい（Ｄ＞Ｃ＞Ｄ−１０ミリメートルの条件か、Ｄ＝Ｃの条件か、あるいはＣ＞Ｄ−１０ミリメートルの条件）。第１の内径Ｃが０．８５Ｄより小さいと口径が小さくなり、また第１の内径ＣがＤ−１０ミリメートルより小さいと給水しにくくなるためである。
また、中蓋33の左右縁には保持用の摘み部37がそれぞれ上向きに突設している。この摘み部37は中蓋33の左右縁において、円弧に対する弦のように直線切り欠き部の箇所に沿って形成されている。また、中蓋33の上面38は給水口28側が僅かに低くなるように傾斜しており、そして中蓋33の上面38の外縁に上向きの第１の小突起39が外縁に沿って連続状に平面環状となって形成されている。中蓋33の上面７の給水口28の上縁にも上向きの第２の小突起31が給水口28の外縁に沿って断続状に平面環状となって形成されている。
【００１７】
そして、中蓋33に揚水パイプ10、注水パイプ11を接続するための中継孔40を設ける。この中継孔40は、流入側である１次側開口部41を中蓋33の前側の円筒部34において軸芯Ｘを横向きになるように形成し、一方、流出側である２次側開口部42を中蓋33の前側の外縁より前方へやや突設した位置に軸芯Ｘを横向きになるように形成している。この１次側開口部41と２次側開口部42をつなぐために中蓋33の下面に軸芯Ｘに沿った断面が円形な中継孔40を有する中継パイプ部43が一体に設けられている。１次側開口部41の第１の内径Ａと２次側開口部42の第２の内径Ｂは異なる長さに形成されている。実施例では第２の内径Ｂを第１の内径Ａより大きくしている（Ｂ＞Ａ）。さらに、１次側開口部41は正面を第１の位置決め用嵌合受け部44として矩形、実施例では正方形になるように前方へ凹状に形成されている。一方、２次側開口部42の上端に前方への突起を第２の位置決め用嵌合受け部45として形成している。
【００１８】
前記揚水パイプ10は、下端に吸い込み口46を形成した下部縦向きパイプ部47と、この下部縦向きパイプ部47の上端に着脱自在に接続される上部縦向きパイプ部48と、この上部縦向きパイプ部48の上端に一体的に接続される横向きパイプ部49を備えており、一直線状となる下部縦向きパイプ部47と上部縦向きパイプ部48の中心線Ｙは、給水口28の中心線Ｚと短円筒部35との間に配置されることで、下部縦向きパイプ部47と上部縦向きパイプ部48は内筒２内において前側に偏位して取り付けされるようになっている。このため横向きパイプ部49の長さは円筒部34の内面から中心線Ｚまでの長さより短く形成されている。上部縦向きパイプ部48の上端に逆止弁50の収容ケース51を設けており、逆止弁50は転倒時に逆止作用をなすものであって、収容ケース51は上方を開口して上部開口部52を形成している。上部縦向きパイプ部48は下端に上部開口部52を閉塞可能な板状の覆い部53を有しており、この覆い部53はネジ部54によって収容ケース51に着脱自在に接続できるようになっている。さらに横向きパイプ部49の先端のやや後ろ側に第１の位置決め用嵌合受け部44に着脱可能に凹凸嵌合する第１の嵌合部55が正面矩形、実施例では正方形となって設けられている。また、この第１の嵌合部55の内側面は円筒部34の内面と同一面となるように傾斜している。尚、図中56は横向きパイプ部49の先端に装着し１次側開口部41間の第３のシール部材、57は収容ケース51と覆い部53間の第４のシール部材を示している。
【００１９】
前記注水パイプ11は前方へ横向に突設する突設パイプ部58と、この突設パイプ部58の先端に下向きに接続する吐出パイプ部59を備えており、基端60側に第２の位置決め用嵌合受け部45に着脱可能に凹凸嵌合する第２の嵌合部61が嵌合するようになっている。62は基端60に取り付けられ２次側開口部42に接触可能な第５のシール部材を示している。
【００２０】
そして、中継パイプ部43を肩部材６の上面７の定位置に配置すると共に、注水パイプ11を嘴部17の上面７の定位置に配置されるように、肩部材６の上面７に中継パイプ部43が遊嵌する第１の凹部63、さらにこの第１の凹部63に連設して注水パイプ11が遊嵌する第２の凹部64が設けられると共に、この第２の凹部64の前側に口孔19を設けている。
【００２１】
次に前記構成についてその作用を説明する。開蓋時に、予め揚水パイプ10の横向きパイプ部49を中蓋33の１次側開口部41に接続させると共に、注水パイプ11の基端60を２次側開口部42に接続したパイプユニット12を口部３に取り付けする。この取り付けにあっては、口部３上に注水孔が連通すると共に、第２のシール部材36が口部３に気密に接する。そして、ケトル（図示せず）等を用いて水を注水孔、口部３を介して内容器に収容する。この給水時に水がこぼれても、中蓋33の上面38で水を受けることができ、この水は中蓋33の上面38の傾斜に従って内側に移動し、そして断続的に設けられる第２の小突起31間の隙間を通って給水口28へ回収できるようになっている。
【００２２】
そして、蓋体９を閉じる。この閉蓋状態にあっては、第１のシール部材30が第２の小突起31の内側に隣接するようにして中蓋33の上面38に封止状態となるように接触する。尚、第１のシール部材30が第２の小突起31に嵌合するようにしてもよい。次に押圧操作機構25を押圧操作すると、ベローズポンプ８が圧縮することで、ベローズポンプ８内の空気を排気孔27より、給水口28、口部３を通して内筒２内に圧送する。この圧送により内筒２の内圧が上昇して収容されている水は吸い込み口46から揚水パイプ10、中継パイプ部43、注水パイプ11を介して吐出パイプ部59より排出される。
【００２３】
このようにして、使用している途中で揚水パイプ10、中継パイプ部43、注水パイプ11が水垢などで汚れるので清掃する必要がある。この清掃のときは、開蓋時において、摘み部37を掴んでパイプユニット12を取り出し、そして１次側開口部41より上部縦向きパイプ部48を抜き出して揚水パイプ10を引き出し、そしてネジ部54によって下部縦向きパイプ部47と上部縦向きパイプ部48を分解し、これらを掃除する。この際、逆止弁50をも取り出して収容ケース51や覆い部53を掃除する。掃除が終わったら分解と逆の順序で組み立てる。この際、第１の位置決め用嵌合受け部44に第１の嵌合部55が凹凸嵌合することで、揚水パイプ10の廻り止めのための位置決めを行うことができる。
【００２４】
注水パイプ11を掃除するときは、２次側開口部42より注水パイプ11を抜き出して掃除を行う。掃除が終わったら分解と逆の順序で組み立てる。この際、第２の位置決め用嵌合受け部45に第２の嵌合部61が凹凸嵌合することで、注水パイプ11の廻り止めのための位置決めを行うことができる。
【００２５】
以上のように、前記実施例においては、請求項１に対応して、容器本体５と、容器本体５の口部３に装着した肩部材６と、該肩部材６上に設けられ口部３を開閉自在に塞ぐ蓋体９と、容器本体５の内外に連通し、容器本体５内の水を排出する揚水パイプ10及びその上部に連通する注水パイプ11を備えたパイプユニット12とを備えたポットにおいて、パイプユニット12は、肩部材６の上面７に載置して口部３を閉塞し該肩部材６と蓋体９の間に着脱自在に設けられる中蓋33と、中蓋33に上下方向を連通して口部３に連通する給水口28と、中蓋33と一体に設けられた中継孔40と、上部を中継孔40の１次側開口部41に着脱自在に連通した前記揚水パイプ10と、基端60を中継孔40の２次側開口部42に着脱自在に連通した注水パイプ11とを備えたことにより、水の流路がすべて着脱分解可能となり、洗浄作業性が良く衛生的である。そして開蓋時にパイプユニット12を設置したままで容器本体５への給水が給水口28より可能であり、しかも給水口28が円形で比較的大径のために注水しやすい。また、パイプユニット12には肩部材６の上面７を覆う中蓋33を有しているので、給水時に水がこぼれても、中蓋33の上面38で受けることができ、衛生的に保つことができる。
【００２６】
さらに、請求項２に対応して、前記蓋体９に前記容器本体５内に圧縮空気を送風するベローズポンプ８を設けてエアーポット１とすることにより、エアーポット１における揚水パイプ10、注水パイプ11をそれぞれ掃除し易くして衛生的に保つことができる。
【００２７】
また、請求項３に対応して、前記給水口28は筒状であって、その外周は口部３または実質同一な開口孔部15に嵌合することで、パイプユニット12の位置決め、ひいては中蓋33の位置決めをすることができる。
【００２８】
しかも、請求項４に対応して給水口28の第１の内径Ｃを、口部３の第２の内径Ｄとほぼ同じ大きさに形成したことで、給水口28が狭くなく、したがって中蓋33があっても、給水口28の状態の視認性を向上して口部３に直接給水するように給水作業を行うことができる。
【００２９】
尚、中継孔40における１次側開口部41の第１の内径Ａと２次側開口部42の第２の内径Ｂは異なる長さに形成しており、このために横向きパイプ部49の先端の外径、注水パイプ11の基端60の外径がそれぞれ異なることで、横向きパイプ部49を２次側開口部42に差し込んでも嵌合せず、注水パイプ11の基端60を１次側開口部41に差し込んでも嵌合しないことで、誤った取付状態であることを示すことができ、正確に取り付けを行うことができる。
【産業上の利用可能性】
【００３０】
以上のように本発明に係るポットは、手動式ポンプではなく、電動式ポンプを用いるものでもよいなど各種の用途に適用できる。
【図面の簡単な説明】
【００３１】
【図１】本発明の実施例１を示す断面図である。
【図２】同開蓋時の斜視図である。
【図３】同パイプユニットの上方から見た分解斜視図である。
【図４】同パイプユニットの下方から見た分解斜視図である。
【符号の説明】
【００３２】
３  口部
５  容器本体
６  肩部材
７  上面
８  ベローズポンプ
９  蓋体
10  揚水パイプ
11  注水パイプ
12  パイプユニット
28  給水口
33  中蓋
40  中継孔
41  １次側開口部
42  ２次側開口部
60  基端
Ｃ  第１の内径
Ｄ  第２の内径
【図１】
2010022489.tif 000003
【図２】
2010022489.tif 000004
【図３】
2010022489.tif 000005
【図４】
2010022489.tif 000006